(57)【要約】      （修正有）【課題】ロール紙輪転印刷機を提供する。【解決手段】２列に配置された印刷装置１〜４、５〜８を持つロール紙輪転印刷機であって、印刷装置１〜４、５〜８の各列に、少なくとも、例えば渡し胴またはウェブ圧胴、あるいは渡しユニット１２〜１９およびウェブ誘導ユニットが割り当てられていて、それらの渡しシステム１２〜１９が列をなす印刷装置１〜４、５〜８の互いに向き合った側に相互間で距離を置いて配置されていることにより自在な使用可能性が実現される。【選択図】図１
2006150969.tif 000002
【特許請求の範囲】
【請求項１】
2列に配置された印刷装置(1〜4および5〜8；40〜43および44〜47；80〜83および84〜87；100〜103および104〜107)を持つロール紙輪転印刷機であって、印刷装置の各列に、少なくとも、例えば渡し胴またはウェブ圧胴、あるいは渡しユニットおよびウェブ誘導ユニット(12〜19；50〜57；74；91,93；118,120)が割り当てられていて、それらの渡しシステムが列をなす印刷装置の互いに向き合った側に相互間で距離を置いて配置されていることを特徴とするロール紙輪転印刷機。
【請求項２】
印刷画線の施された各装置(例えば10)に転写胴(例えば11)が後続配置されているという間接的印刷方法への適用を特徴とする請求項1に記載のロール紙輪転印刷機。
【請求項３】
印刷画線の施された各装置(例えば71)に少なくとも1つの継ぎ目なし転写ベルト(72,90)が後続配置されているという間接的印刷方法への適用を特徴とする請求項1に記載のロール紙輪転印刷機。
【請求項４】
印刷画線の施された各装置(例えば71)に転写ベルト(例えば72)が後続配置されていることを特徴とする請求項3に記載のロール紙輪転印刷機。
【請求項５】
印刷画線の施された複数の装置(例えば89)に共通の転写ベルト(例えば90)が後続配置されていることを特徴とする請求項3に記載のロール紙輪転印刷機。
【請求項６】
印刷画線の施された各装置(例えば49)が、例えば渡し胴またはウェブ圧胴、あるいは渡しユニットおよびウェブ誘導ユニットのような渡しシステム(50〜57)と相互に作動するという間接的印刷方法への適用を特徴とする請求項1に記載のロール紙輪転印刷機。
【請求項７】
印刷画線の施された装置(例えば10,49,71)が圧胴であることを特徴とする請求項1ないし請求項6のいずれか一項に記載のロール紙輪転印刷機。
【請求項８】
電子写真印刷法またはマグネトグラフ印刷法またはイオノグラフ印刷法において、印刷画線の施された装置(例えば80)として写真伝導胴または磁化性胴または電気胴が使用されることを特徴とする請求項1ないし請求項7のいずれか一項に記載のロール紙輪転印刷機。
【請求項９】
電子写真印刷法またはマグネトグラフ印刷法またはイオノグラフ印刷法において、印刷画線の施された装置として継ぎ目なしベルト(116,119)が使用されることを特徴とする請求項1ないし請求項7のいずれか一項に記載のロール紙輪転印刷機。
【請求項１０】
転写ベルトまたは写真伝導ベルト(72,90,112)が転向ロール(例えば73,117)を通じて誘導されること、および転向ロールの1つが、例えば渡し胴またはウェブ圧胴、あるいは渡しユニットおよびウェブ誘導ユニットのような渡しシステム(74,91,93,118,120)の向かい側に配置されていることを特徴とする請求項1ないし請求項9のいずれか一項に記載のロール紙輪転印刷機。
【請求項１１】
印刷装置の各列(例えば1〜4および5〜8)に、被印刷ウェブ貯留ロール用として固有の支持体(20,21)が配置されていることを特徴とする請求項1ないし請求項10のいずれか一項に記載のロール紙輪転印刷機。
【請求項１２】
一方の列の印刷装置(例えば5〜8)ともう一方の列の印刷装置(例えば1〜4)との間にあるウェブ走路に転向ロール(25,26)が配置されていることを特徴とする請求項1ないし請求項11のいずれか一項に記載のロール紙輪転印刷機。
【請求項１３】
一方の列の印刷装置(例えば5〜8)ともう一方の列の印刷装置(例えば1〜4)との間にウェブ反転装置(例えば28)が配置されていることを特徴とする請求項1ないし請求項12のいずれか一項に記載のロール紙輪転印刷機。
【請求項１４】
一方の列の印刷装置(例えば1〜4)がもう一方の列の印刷装置(例えば5〜8)から独立して作動し得ることを特徴とする請求項1ないし請求項13のいずれか一項に記載のロール紙輪転印刷機。
【発明の詳細な説明】
【技術分野】
【０００１】
本発明は、平行な2列に配置された印刷装置を有するロール紙輪転印刷機に関する。
【背景技術】
【０００２】
オフセット印刷用として想定されているこの種の公知型印刷機の場合、被印刷ウェブは2列構成である印刷装置の転写胴間で両面印刷される。この種の印刷機によれば、例えば包装材の印刷時に遭遇するような、片面しか印刷してはならない事例では、そのキャパシティは半分しか活用されない。それは、印刷に関わらない列の印刷装置では転写胴を対向圧胴として作動させねばならないからである。
【発明の開示】
【発明が解決しようとする課題】
【０００３】
本発明の基本的課題は、上記種類のロール紙輪転印刷機について、異なった生産経路で運転ができるように、ひいては自在な使用可能性が達成されるように改良を推し進めることにある。
【課題を解決するための手段】
【０００４】
これは本発明に基づき、印刷装置の各列に少なくとも1つのウェブ圧胴を割り当て、それらのウェブ圧胴を、列をなす印刷装置の互いに向き合った側に相互間で距離を置いて配置させることによって達成される。
【０００５】
この構成を適用した場合、印刷装置の各列ごとにそれぞれ1枚の被印刷ウェブを片面印刷する可能性、装備された全印刷装置により1枚の被印刷ウェブを片面印刷する可能性または一方の列の印刷装置により被印刷ウェブの表側を、もう一方の列の印刷装置により裏側を印刷する可能性が提供される。
【０００６】
その他の特徴および長所は、従属請求項から、および本発明の幾つかの実施例について図面を参照して行った説明から明らかである。
【発明を実施するための最良の形態】
【０００７】
図1〜図5に基づく印刷機は、上段列の4つの印刷装置1〜4と下段列の4つの印刷装置5〜8とを有している。印刷装置のその配置は目的に適っているが、必ずしも水平に配置されるわけではない。さらに、本発明は8つの印刷装置を持つ印刷機に限定されるのではなく、別な数の印刷装置を持つ印刷機にも適用することができる。印刷装置1は、インキング装置9、印刷版胴10および実施例では転写胴として形成されている転写装置11から成っている。その他の印刷装置も同様に構成されている。それぞれの印刷装置1〜8には、例えば渡し胴/渡しユニットまたはウェブ圧胴などの渡しシステム12〜19が割り当てられている。ウェブ圧胴12〜15および16〜19は、印刷装置1〜4および5〜8の両列が互いに向き合っている側に配置されている。それぞれ相向かい合う2つのウェブ圧胴、例えば12と16の間には距離が置かれているので、両者はどの部分でも接触しない。
【０００８】
インキング装置は、オフセット印刷機用には着色装置と給湿装置から構成することができる。その他の印刷様式の場合には、それは画線形成ユニットおよび/または現像ユニットだけから成っている。オフセット印刷機の場合、印刷版胴は取替えまたは再使用の可能なプレートまたはケース(スリーブ)付きのプレート胴として、または直接的に画線形成可能な表面を持つプレート胴として構成することができる。その他の印刷法の場合には、これは、例えばグラビア印刷版胴またはフレキソ印刷版胴または写真伝導胴として構成することができる。印刷機の前方には、被印刷ウェブ貯留ロール用として2つの支持体20,21が各列1つずつ配備されている。
【０００９】
一方では印刷装置1〜4が、例えば渡し胴またはウェブ圧胴のような渡しシステム12〜15と共に、他方では印刷装置5〜8が、例えば渡し胴またはウェブ圧胴のような渡しシステム16〜19と共にそれぞれ相互に作動することができる。しかし、例えば渡し胴またはウェブ圧胴などの渡しシステム、転写装置、印刷版胴およびインキング装置をそれぞれ個別に駆動させる可能性や、あるいは2つまたはそれ以上の装置を対象としてグループ単位で駆動させる可能性も存在する。図3〜図5に基づく変化態様に対して個別またはグループ単位での駆動を適用する場合、これらの駆動装置はすべての印刷装置に対してシンクロナイズできなければならない。
【００１０】
図2に示されているように、印刷装置1〜4では被印刷ウェブ22を、印刷装置5〜8では別な被印刷ウェブ23をそれぞれ片面印刷することができる。このウェブ操作方式では、さらに、例えば印刷装置1〜4で被印刷ウェブ22を印刷し、それと同時に印刷装置5〜8の入替えをすることが可能である。
【００１１】
図3は別なウェブ誘導を示しており、この場合には被印刷ウェブ24は印刷機を貫通するように誘導される。被印刷ウェブ24は、先ず印刷装置5〜8により片面が印刷される。続いて、被印刷ウェブは転向ロール25,26を通じて、被印刷ウェブ24のもう一方の面も同様に印刷されるように誘導される。
【００１２】
図4はまた別な可能性を示している。この態様では先ず被印刷ウェブ27が印刷装置5〜8により片面印刷される。続いて、被印刷ウェブ27は反転ユニット28を通過し転向ロール29を経て印刷装置1〜4に至る。その印刷装置は被印刷ウェブ27の既に印刷された面に別な着色料を押し付ける。
【００１３】
図5は二面印刷のまた別な変化態様を示している。この配置では、被印刷ウェブ30は先ず印刷装置5のウェブ圧胴16を周回することで片面に印刷を得る。次に、被印刷ウェブ30は印刷装置1のウェブ圧胴12を周回して裏面に印刷を得る。被印刷ウェブ30はそこからウェブ圧胴17に至り、次にウェブ圧胴13を通ってウェブ圧胴18に戻り、そこからウェブ圧胴14を通ってウェブ圧胴19および15に至る。つまり、このウェブ操作方式の場合には、被印刷ウェブ30はそれぞれ、一方の印刷装置のウェブ圧胴を周回して向かい側の印刷装置のウェブ圧胴へと、さらにそこから斜め向かいのウェブ圧胴へと導かれる。この方式でも被印刷ウェブ30の両面に印刷が得られる。この場合には、図3に基づく配置に比べ転向ロール25,26の省略が可能である。
【００１４】
図6は、直接的印刷用の印刷機に本発明を適用した例を示している。この機械でも第1列の印刷装置40〜43と、それに平行な第2列の印刷装置44〜47が配備されている。各印刷装置、例えば40は、インキング装置、詳しくは画線形成/現像ユニット48および印刷画線担体49を有している。各印刷装置40〜47の印刷画線担体には、例えば49には、例えば渡し胴またはウェブ圧胴のような渡しシステム50〜57が1基ずつ割り当てられている。印刷装置40〜47の前方には、被印刷ウェブ貯留ロール用として2つの支持体58,59が各列1つずつ配備されている。
【００１５】
図7に概略図として示されているように、この印刷機では、例えば渡し胴またはウェブ圧胴などの渡しシステム50〜53と上段列の印刷装置40〜43の印刷画線担体、例えば49との間で第1被印刷ウェブ60を、および例えば渡し胴またはウェブ圧胴などの渡しシステム54〜57と下段列の印刷装置43〜46の印刷画線担体との間で第2被印刷ウェブ61をそれぞれ片面印刷することができる。両列の印刷装置は列毎に独立して駆動されるので、この場合でも、例えば上段の印刷装置40〜43で印刷を行って、下段の印刷装置43〜46は入れ替えるということが可能である。
【００１６】
図8が示すように、転向ロール62,63を配置することにより、印刷装置全体で被印刷ウェブ64を両面印刷することが可能になる。
【００１７】
図9が示すように、前出の実施例と同様、反転ユニット65および転向ロール66を配置することにより、被印刷ウェブ67は印刷装置に供給されるインクの全量で片面印刷することができる。さらに、図8の配置構成に替わり、かつ図5の配置構成に類似するものとして、転向ロール62,63の省略下で被印刷ウェブ68を両面印刷することができる。その場合、図10が示すように、被印刷ウェブ68は、例えば渡し胴またはウェブ圧胴のような渡しシステム54から例えば渡し胴またはウェブ圧胴のような渡しシステム50へ、そこから例えば渡し胴またはウェブ圧胴のような渡しシステム55へ、さらにその後も同様に印刷機を通過誘導される。
【００１８】
本発明は、さらに、例えば電子写真術など電子写真印刷法にも適している。この場合にはインキング装置48の替わりに、生成された画線を、写真伝導装置として形成されている印刷画線担体49に供給する充電/画線形成/現像装置が配備されていなければならない。印刷装置のその他構造については図6の実施例の場合と変わりはない。
【００１９】
図11には、図1の実施例に対する変化態様が、電子写真術による画線形成機能を持つ印刷機を例に描かれているが、変化態様はこれに限定されるわけではない。この場合、各印刷装置75は、写真伝導胴として形成されている印刷画線担体71上に画線を生成させる、充電、画線形成および現像のための装置70を有している。印刷画線はその後、継ぎ目なしベルトとして形成されている転写装置72を通じて先へ送られる。転写装置72は好ましくも、転向ロール73の1つがウェブ圧胴74に相向かい合うように構成されている。当然のことながら、継ぎ目なしベルトの使用により別様に形作られた転写装置から成る変化態様も考えられる。他の印刷装置もすべて同様に形成されている。この印刷機では、図2〜図5に描かれているのと同じウェブ誘導が可能である。
【００２０】
本発明に基づくまた別な構成が、電子写真式の画線形成機能を持つ印刷機を例として図12に描かれている。ここでも第1列の印刷装置80〜83とそれに平行な第2列の印刷装置84〜87が配備されている。各印刷装置は充電、画線形成および現像のための装置88および例えば写真伝導装置として構成されている胴形態の印刷画線担体89を有している。印刷装置80〜83の印刷画線担体はそれらの画線を、継ぎ目なしベルトとして形成されている共通の転写装置90に供給する。転写装置90には、渡し/ウェブ誘導ユニット91形態の渡しシステムが配備されている。印刷装置84〜87も同様にそれらの画線を、ベルトとして形成され別な渡し/ウェブ誘導ユニット93と相互に作動する転写装置92に供給する。
【００２１】
図13が示すように、この印刷機によっても2ロールのウェブ用紙94,95を互いに独立させてそれぞれ片面印刷することができる。また、印刷装置80〜83だけで印刷して、印刷装置84〜89については、例えば被印刷材料の入替えを行うことも可能である。図14は両面印刷される被印刷ウェブ96の誘導経路を示している。最後になるが、図15から認められるように、反転ユニット97の配置によって被印刷ウェブ98を全印刷装置80〜87の使用下で片面印刷することが可能になる。
【００２２】
電子写真で生成される印刷画線による直接的印刷用として想定された図16の印刷機も、第1列の印刷装置100〜103と第2列の印刷装置104〜107を有している。各印刷装置は(充電)、画線形成および現像のためのユニット108〜115を有している。第1列印刷装置100〜103の(充電)、画線形成および現像のためのユニットは、ここでは例えば収集機能を持つ写真伝導ベルトとして形成されている継ぎ目なしベルト形態の共同用印刷画線担体116の上に画線を生成する。その場合、印刷画線担体116の転向ロール117は、例えば渡し胴またはウェブ圧胴などの渡しシステム118に相向かい合う位置にある。印刷装置104〜107も同じ様式で形成されている。それらの印刷画線担体119は、例えば渡し胴またはウェブ圧胴のような渡しシステム120と相互に作動している。この配置により、図7〜図10に描かれているのと同じウェブ誘導が実現できる。
【００２３】
前記の実施例が示すように、簡易様式の両面刷り用タンデム型印刷機から、異なった印刷結果をもたらす複数のウェブ誘導を可能にする印刷システムの創出が可能になる。
【図面の簡単な説明】
【００２４】
【図１】間接的印刷用印刷機の本発明に基づく構成を示す図である。
【図２】図1に基づく印刷機における一生産様式を示す図である。
【図３】図1に基づく印刷機における他の生産様式を示す図である。
【図４】図1に基づく印刷機における他の生産様式を示す図である。
【図５】図1に基づく印刷機における他の生産様式を示す図である。
【図６】直接的印刷用印刷機の本発明に基づく構成を示す図である。
【図７】図6に基づく印刷機における一生産様式を示す図である。
【図８】図6に基づく印刷機における他の生産様式を示す図である。
【図９】図6に基づく印刷機における他の生産様式を示す図である。
【図１０】図6に基づく印刷機における他の生産様式を示す図である。
【図１１】転写ベルトを使用した場合の間接的印刷用印刷機の変化態様を示す図である。
【図１２】転写ベルトを使用した場合の間接的印刷用印刷機の変化態様を示す図である。
【図１３】転写ベルトを使用した場合の間接的印刷用印刷機における一生産様式を示す図である。
【図１４】転写ベルトを使用した場合の間接的印刷用印刷機における他の生産様式を示す図である。
【図１５】転写ベルトを使用した場合の間接的印刷用印刷機における他の生産様式を示す図である。
【図１６】転写ベルトを使用した場合の直接的印刷用印刷機の変化態様を示す図である。
【符号の説明】
【００２５】
1〜4  上段列の印刷装置
5〜8  下段列の印刷装置
9  インキング装置
10  印刷版胴
11  転写装置
12〜19  ウェブ圧胴
20,21  支持体
22〜24  被印刷ウェブ
25,26  転向ロール
27  被印刷ウェブ
28  反転ユニット
29  転向ロール
30  被印刷ウェブ
40〜43  第1列の印刷装置
44〜47  第2列の印刷装置
48  画線形成/現像ユニット
49  印刷画線担体
50〜57  渡しシステム
58,59  支持体
60  第1被印刷ウェブ
61  第2被印刷ウェブ
62,63  転向ロール
64  被印刷ウェブ
65  反転ユニット
66  転向ロール
67,68  被印刷ウェブ
71  印刷画線担体
72  転写装置
73  転向ロール
74  ウェブ圧胴
75  印刷装置
80〜83  第1列の印刷装置
84〜87  第2列の印刷装置
89  印刷画線担体
90  転写装置
91, 93  渡し/ウェブ誘導ユニット
92  転写装置
94,95  ウェブ用紙
96,98  被印刷ウェブ
97  反転ユニット
100〜103  第1列の印刷装置
104〜107  第2列の印刷装置
116  印刷画線担体
117  転向ロール
118,120  渡しシステム
119  印刷画線担体
【図１】
2006150969.tif 000003
【図２】
2006150969.tif 000004
【図３】
2006150969.tif 000005
【図４】
2006150969.tif 000006
【図５】
2006150969.tif 000007
【図６】
2006150969.tif 000008
【図７】
2006150969.tif 000009
【図８】
2006150969.tif 000010
【図９】
2006150969.tif 000011
【図１０】
2006150969.tif 000012
【図１１】
2006150969.tif 000013
【図１２】
2006150969.tif 000014
【図１３】
2006150969.tif 000015
【図１４】
2006150969.tif 000016
【図１５】
2006150969.tif 000017
【図１６】
2006150969.tif 000018